(57)【要約】【課題】足元を暖めるという暖房装置の基本的な効果を考慮して、発熱体に直接足を乗せることが出来るようにすると共に周囲温度も上げて足元をより効果的に暖められるパネルヒーターを提供する。【解決手段】発熱体としてのパネルヒーター部１と該パネルヒーター部１と比較して小型の発熱体であるフットウオーマー部２を接続部１６によって連結し、該フットウオーマー部２に足を乗せることが出来るようにする。【選択図】　　　　　　図１
2004044996.tif 000002
【特許請求の範囲】
【請求項１】
発熱体としてのパネルヒーター部１と該パネルヒーター部１と比較して小型の発熱体であるフットウオーマー部２を接続部１６によって連結し、該フットウオーマー部２に足を乗せることが出来るようにしたことを特徴とするパネルヒーター
【請求項２】
パネルヒーター部１を発熱体としての中央部４と該中央部４と連結部７及び連結部８を介して連結している側部５及び側部６と、外周部に設けられた縁部９とで構成し、フットウオーマー部２を前記パネルヒーター部１の中央部４と接続部１６によって連結したことを特徴とする請求項１記載のパネルヒーター
【発明の詳細な説明】
【０００１】
【発明の属する技術分野】
本発明は、机等で勉強あるいは仕事をするのに適した暖房装置で、特に足元を暖めることが出来るパネルヒーターに関する。
【０００２】
【従来の技術】
従来、冬の寒い日に机等で勉強あるいは仕事をする場合は、エアコンやストーブで部屋全体を暖めたり、小型の電気ストーブを机の傍らへ置いたりしているが、部屋全体を暖めるのは不経済であるし、小型の電気ストーブのみでは必ずしも充分とはいえない。こうした状況をふまえ、パネルヒーターを机等に利用できるように改良したものとして特開平１１−１７３５５４がある。このパネルヒーターは発熱体をコ字状に形成して足元を囲えるようにし、更にコ字状上部にカバーを取り付けて暖房効率を向上させたものである。
【０００３】
【発明が解決しようとする課題】
しかしながら、従来のパネルヒーターが現実の問題として必ずしも暖房効率を向上させたとは思えない。発熱体をコ字状に形成して、更にコ字状上部にカバーを取りつけたので、放熱の拡散を防止するということについては、確かに効率が良くなっているが、足元を暖めるという暖房装置の基本的な効果を考えると充分ではない。
【０００４】
本発明は、足元を暖めるという暖房装置の基本的な効果を考慮して、発熱体に直接足を乗せることが出来るようにすると共に、周囲温度も上げて足元をより効果的に暖められ、且つ経済的なパネルヒーターを提供するのを目的としている。更に、使用状態に自由度を持たせ、必要に応じた使い方が出来るようにすることを他の目的としている。
【０００５】
【課題を解決する為の手段】
上記目的を解決する為に本発明のパネルヒーターは発熱体としてのパネルヒーター部と該パネルヒーター部と比較して小型の発熱体であるフットウオーマー部を接続部によって連結し、該フットウオーマー部に足を乗せることが出来るようにしたものである。
【０００６】
また、使用状態に自由度を持たせる為にパネルヒーター部を発熱体としての中央部と該中央部の両側に設けた連結部を介してそれぞれ連結している２つの側部と、外周部に設けられた縁部とで構成し、フットウオーマー部を前記パネルヒーター部の中央部と接続部によって連結したものである。
【０００７】
【発明の実施の形態】
以下、本発明の実態を実施例にもとづき図面を参照して詳細に説明する。
図１において、１はパネルヒーター部で発熱体としての中央部４と側部５及び側部６から成り、該側部５及び側部６は前記中央部４と連結部７及び連結部８を介してそれぞれ連結していて、その外周部分はテープ状の布を巻きつけたヘム加工による縁部９となっている。連結部７及び連結部８は中央部４と側部５及び側部６を連結するのみでなく、保管などの為に両側部を折り畳めるようになっており、そのため縫製加工されている。２はフットウオーマー部で、足を乗せることが出来る比較的小型で通常のパネルヒーターより発熱量の少ない発熱体として構成され、前記パネルヒーター部１と同様にその外周部には縁部が設けられていて、接続部１６により、パネルヒーター部１の構成要素の１つである中央部４と連結している。接続部１６は単に中央部４とフットウオーマー部２を連結しているのではなく、前記連結部と同様に折り畳めるように丈夫に縫製加工されている。３はスイッチであってパネルスイッチ１７とフットスイッチ１８を含み、パネルスイッチ１７をＯＮすると中央部４のヒーター線１５が通電して発熱し、同様にフットスイッチ１８をＯＮするとフットウオーマー部２のヒーター線が通電して発熱する。これによって中央部４とフットウオーマー部２の表面部から放熱が行われる。放熱を終了させるのはスイッチ３をＯＦＦにすれば良く、スイッチの操作で中央部４とフットウオーマー部２を同時にあるいは別々に使用することも可能である。
【０００８】
図２は中央部４の構造を示したもので、該中央部４は裏生地１０と合板１１そして断熱ウレタン１２が積層状態となっていて、更にヒーター線１５を適正位置に加熱溶着した鋼板１３と表生地１４を重ね合わせた状態で形成される。尚、合板１１は硬質のものであればボール紙等でも良く、ヒーター線１５は実施例では線状発熱として説明しているが面状発熱としても良い。但し、面状発熱とした場合鋼板１３は省略することも可能である。又、フットウオーマー部２の発熱体としての構造は前記中央部４と同じであり、その外周部には縁部が設けられているが、前述したようにパネルヒーター部と同じ構造であるので、詳細説明は省略する。
【０００９】
図３は側部５と側部６の構造を示したものであるが、同じ構造であるので側部６により説明する。該側部６は裏生地１０と合板１１そして断熱ウレタン１２が積層状態となっていて、それに表生地１４を重ね合わせた状態で形成される。
【００１０】
図４は縁部９の詳細を示したもので、中央部４と側部５及び側部６の外周部即ちパネルヒーター部１の外周部を覆うように形成され、それはテープ状の布を巻きつけるヘム加工により行われる。
【００１１】
図５は本発明の使用状態を示すものであり、水平状のフットウオーマー部２に対してパネルヒーター部１を接続部１６において略９０度折り曲げ、更に側部５と側部６を足元側へ折り曲げ机等の下へ置いて使用する。
【００１２】
図６は本発明の他の使用状態を示すもので、パネルヒーター部１とフットウオーマー部２を共に水平状にして使用する。この使用状態は机等の下の空間が狭くパネルヒーター部１を立てることが出来ない場合に対応させるものである。
【００１３】
このように構成された本発明によるパネルヒーターの使用方法について説明する。机等の下にパネルヒーターを使用状態に設置し、フットスイッチをＯＮにするとフットウオーマー部が暖かくなるので、足を乗せることにより直接暖を取ることが出来る。その状態でパネルスイッチをＯＮにするとパネルヒーター部が発熱して、周囲温度を上昇させるので、フットウオーマー部の暖房効果と相俟って、より効果的な暖を取ることが出来る。尚、フットスイッチとパネルスイッチを個々に設けてあるので、それぞれのスイッチをＯＮ−ＯＦＦすることで、フットウオーマー部とパネルヒーター部のいずれか１つを使用することも可能である。
【００１４】
次に本発明によるパネルヒーターの使用状態であるが、前述したようにフットウオーマー部に対してパネルヒーター部を９０度折り曲げ、且つ側部を足元側へ折り曲げて使用するのが最も効果的であるが、必要であれば共に水平状にして使用しても差し支えない。要は適当と思う状態で使用すれば良い。更に、既に詳しく述べたように側部やフットウオーマー部を連結部や接続部で折り曲げ可能としてあるので、全体をコンパクトに折り畳むことが出来、保管や持ち運びに便利であるという利点もある。更に付言すれば、前記連結部や接続部の構造はパネルヒーター部又はフットウオーマー部を折り曲げあるいは折り畳んだとき、そして水平状にしたときに、それぞれの状態を保持し、その状態を簡単に変更出来るものであれば良いのであって、特に限定するものではない。
【００１５】
【発明の効果】
以上のように、本発明によるパネルヒーターによれば、発熱体であるフットウオーマー部に直接足を乗せることが出来るし、パネルヒーター部により周囲温度を上昇させるので、足元の暖をより効果的に取ることが可能となり、その上フットウオーマー部を比較的小型としたので、消費電力も少なくなり経済的である。
【００１６】
更に、側部を連結部で折り曲げ可能とし、フットウオーマー部を接続部で折り曲げ可能としたので、使用状態に大きな自由度を持たせることが出来る。
【図面の簡単な説明】
【図１】本発明にかかるパネルヒーターの展開図
【図２】図１のＡ−Ａ断面図
【図３】図１のＢ−Ｂ断面図
【図４】図１のＣ−Ｃ断面図
【図５】使用状態を示す斜視図
【図６】他の使用状態を示す斜視図
【符号の説明】
１　パネルヒーター部
２　フットウオーマー部
３　スイッチ
４　中央部
５　側部
６　側部
７　連結部
８　連結部
９　縁部
１０　裏生地
１１　合板
１２　断熱ウレタン
１３　鋼板
１４　表生地
１５　ヒーター線
１６　接続部
１７　フットスイッチ
１８　パネルスイッチ
【図１】
2004044996.tif 000003
【図２】
2004044996.tif 000004
【図３】
2004044996.tif 000005
【図４】
2004044996.tif 000006
【図５】
2004044996.tif 000007
【図６】
2004044996.tif 000008